(57)【要約】【課題】主に各種電子機器の操作に用いられるリモコン送信機に関し、誤操作がなく、確実な操作が可能なものを提供することを目的とする。【解決手段】アーム部１５Ａと１６Ａの略中間部が交差して回動可能に接合された二つの枠体１５と１６を設けると共に、この枠体１５と１６のアーム部１５Ａと１６Ａ上端に静電タッチパネル１２を載置することによって、静電タッチパネル１２を押圧操作した際、二つの枠体１５と１６によって、静電タッチパネル１２が傾くことなく水平な状態で上下動し、スイッチ接点６の安定した電気的接離が行えるため、誤操作がなく、確実な操作が可能なリモコン送信機を得ることができる。【選択図】図１
2009200542.tif 000002
【特許請求の範囲】
【請求項１】
ケース上面に装着された静電タッチパネルと、この静電タッチパネル下面に配設されたスイッチ接点と、上記静電タッチパネルとスイッチ接点の操作に応じて送信手段からリモコン信号を送信する制御手段からなり、アーム部の略中間部が交差して回動可能に接合された二つの枠体を設けると共に、この枠体のアーム部上端に上記静電タッチパネルを載置したリモコン送信機。
【発明の詳細な説明】
【技術分野】
【０００１】
本発明は、主に各種電子機器の遠隔操作に用いられるリモコン送信機に関するものである。
【背景技術】
【０００２】
近年、テレビやビデオ、エアコン等の各種電子機器の高機能化が進むなか、これらを遠隔操作するリモコン送信機においても、多様で確実な操作を行えるものが求められている。
【０００３】
このような従来のリモコン送信機について、図４〜図７を用いて説明する。
【０００４】
図５は従来のリモコン送信機の断面図であり、同図において、１は略箱状で絶縁樹脂製のケース、２は静電タッチパネルで、ケース１上面の開口孔に静電タッチパネル２が装着されている。
【０００５】
そして、この静電タッチパネル２は、フィルム状のシートの上面または上下面に略帯状の複数の導電部（図示せず）が、所定の間隙を空けて直交方向に配列されて形成されている。
【０００６】
また、３は絶縁樹脂製の上覆体、４は同じく下覆体で、この上覆体３と下覆体４の間に静電タッチパネル２が収納されると共に、静電タッチパネル２の複数の導電部の端部に接続された電極部（図示せず）が形成されたテール部２Ａが、下覆体４の下面から右外方へ延出している。
【０００７】
さらに、５は上下面に複数の配線パターン（図示せず）が形成された配線基板で、この上面にはプッシュスイッチ等のスイッチ接点６が実装され、スイッチ接点６上面から突出した押釦６Ａに下覆体４の下面が当接すると共に、静電タッチパネル２がテール部２Ａやコネクタ（図示せず）等を介して、配線基板５の配線パターンに電気的に接続されている。
【０００８】
そして、７は下方に略ドーム状の薄肉部が形成されたゴム等の操作体で、上面が上ケース１上面の貫通孔から上下動可能に突出すると共に、下面には配線基板５上面に形成された複数の固定接点５Ａと、所定の間隙を空けて対向する可動接点７Ａが設けられている。
【０００９】
また、配線基板５の上下面には、発光ダイオード等のリモコン信号を送信する送信手段８や、配線パターンを介して送信手段８や静電タッチパネル２、スイッチ接点６、複数の固定接点５Ａに接続されたマイコン等の制御手段９が形成されると共に、ケース１下面を絶縁樹脂製のカバー１０が覆って、リモコン送信機が構成されている。
【００１０】
以上の構成において、リモコン送信機を操作する電子機器に向けて、指で所定の操作体７の上面を押圧操作すると、略ドーム状の薄肉部が弾性変形して操作体７が下方へ移動し、この下面の可動接点７Ａが複数の固定接点５Ａに接触して、可動接点７Ａを介して複数の固定接点５Ａの電気的接離が行われ、この電気的接離に応じて制御手段９が、送信手段８から赤外線のリモコン信号を電子機器へ送信し、例えば、テレビの電源の入／切や音量の増減等が遠隔操作によって行われる。
【００１１】
また、図４の正面図に示すように、遠隔操作する電子機器３０の表示画面３１に、例えば番組表やメニュー等が表示された状態で、上覆体３上面に指を触れ、指をなぞるように前後左右に移動して接触操作すると、この指に静電タッチパネル２の電荷の一部が導電し、操作した箇所の導電部の容量が変化するため、これによって静電タッチパネル２のどの箇所が接触操作されたかを制御手段９が検出する。
【００１２】
そして、この指の移動に応じたリモコン信号を、制御手段９が送信手段８から機器へ送信し、例えば、表示画面３１に表示されたカーソル３２やポインタ３３等が、指の移動した上下方向や左右方向へ移動して、番組表やメニュー等の選択が行われる。
【００１３】
さらに、カーソル３２やポインタ３３等が所望の番組やメニュー上に位置した状態で、図６の断面図に示すように、上覆体３上面を押圧操作すると、静電タッチパネル２や下覆体４が下方へ移動し、下覆体４の下面がスイッチ接点６の押釦６Ａを押圧操作して、スイッチ接点６の電気的接離が行われ、これを制御手段９が検出して送信手段８からリモコン信号を送信し、例えば、番組の予約や次のメニューの表示等が行われる。
【００１４】
つまり、複数の操作体７の押圧操作によって、電源や音量といった機器の各機能の遠隔操作を行うと共に、静電タッチパネル２の接触操作によって、番組表等の表示画面３１に表示されたメニューの選択を行い、さらに静電タッチパネル２の押圧操作によって、メニューの確定や次メニューの表示等を、遠隔操作によって行うことができるように構成されているものであった。
【００１５】
なお、この出願の発明に関連する先行技術文献情報としては、例えば、特許文献１が知られている。
【特許文献１】特表２００７−５０３０５２号公報
【発明の開示】
【発明が解決しようとする課題】
【００１６】
しかしながら、上記従来のリモコン送信機においては、静電タッチパネル２を押圧操作する際、図７の断面図に示すように、静電タッチパネル２の中央ではなく端部を押圧操作すると、上覆体３や下覆体４が傾いた状態でスイッチ接点６の押釦６Ａが押圧操作され、スイッチ接点６の電気的接離が不安定なものとなるため、誤操作が生じてしまう場合があるという課題があった。
【００１７】
本発明は、このような従来の課題を解決するものであり、誤操作がなく、確実な操作が可能なリモコン送信機を提供することを目的とする。
【課題を解決するための手段】
【００１８】
上記目的を達成するために本発明は、アーム部の略中間部が交差して回動可能に接合された二つの枠体を設けると共に、この枠体のアーム部上端に静電タッチパネルを載置してリモコン送信機を構成したものであり、静電タッチパネルを押圧操作した際、二つの枠体によって、静電タッチパネルが傾くことなく水平な状態で上下動し、スイッチ接点の安定した電気的接離が行えるため、誤操作がなく、確実な操作が可能なリモコン送信機を得ることができるという作用を有するものである。
【発明の効果】
【００１９】
以上のように本発明によれば、誤操作がなく、確実な操作が可能なリモコン送信機を実現できるという有利な効果が得られる。
【発明を実施するための最良の形態】
【００２０】
以下、本発明の実施の形態について、図１〜図４を用いて説明する。
【００２１】
なお、これらの図面のうち断面図は、構成を判り易くするために厚さ方向の寸法を拡大して表している。
【００２２】
また、背景技術の項で説明した構成と同一構成の部分には同一符号を付して、詳細な説明を簡略化する。
【００２３】
（実施の形態）
図１は本発明の一実施の形態によるリモコン送信機の断面図、図２は同分解斜視図であり、同図において、１１は略箱状でポリスチレンやＡＢＳ等の絶縁樹脂製のケース、１２は静電タッチパネルで、ケース１１上面の開口孔に静電タッチパネル１２が装着されている。
【００２４】
そして、この静電タッチパネル１２は、フィルム状のシートの上面または上下面に、略帯状または略方形の複数の導電部（図示せず）が、所定の間隙を空けて直交方向に配列されて形成されている。
【００２５】
また、１３は絶縁樹脂製の上覆体、１４は同じく下覆体で、この上覆体１３と下覆体１４の間に静電タッチパネル１２が収納されると共に、静電タッチパネル１２の複数の導電部の端部に接続された電極部（図示せず）が形成されたテール部１２Ａが、下覆体１４の下面から右外方へ延出している。
【００２６】
さらに、５は紙フェノールやガラス入りエポキシ等の配線基板で、上下面には銅箔等によって複数の配線パターン（図示せず）が形成され、この上面にはプッシュスイッチ等のスイッチ接点６が実装されると共に、静電タッチパネル１２がテール部１２Ａやコネクタ（図示せず）等を介して、配線基板５の配線パターンに電気的に接続されている。
【００２７】
また、１５と１６は略Ｈ字状で絶縁樹脂製の枠体で、同じ長さのアーム部１５Ａと１６Ａの略中間部が交差し、軸部１５Ｂと１６Ｂが凹凸部（図示せず）等によって回動可能に接合されると共に、アーム部１５Ａと１６Ａ上端には、静電タッチパネル１２を収納した上覆体１３と下覆体１４が左右方向へ移動可能に載置されている。
【００２８】
さらに、このアーム部１５Ａと１６Ａ下端が、配線基板５上面に左右方向へ移動可能に載置されると共に、下覆体１４下面の突出部１４Ａがスイッチ接点６上面から突出した押釦６Ａ上面に当接している。
【００２９】
そして、７は下方に略ドーム状の薄肉部が形成されたゴムやエラストマー等の操作体で、上面が上ケース１１上面の貫通孔から上下動可能に突出すると共に、下面には配線基板５上面に形成された複数の固定接点５Ａと、所定の間隙を空けて対向する可動接点７Ａが設けられている。
【００３０】
また、配線基板５の上下面には、発光ダイオード等のリモコン信号を送信する送信手段８や、配線パターンを介して送信手段８や静電タッチパネル１２、スイッチ接点６、複数の固定接点５Ａに接続されたマイコン等の制御手段９が形成されると共に、ケース１１下面を絶縁樹脂製のカバー１０が覆って、リモコン送信機が構成されている。
【００３１】
以上の構成において、リモコン送信機を操作する電子機器に向けて、指で所定の操作体７の上面を押圧操作すると、略ドーム状の薄肉部が弾性変形して操作体７が下方へ移動し、この下面の可動接点７Ａが複数の固定接点５Ａに接触して、可動接点７Ａを介して複数の固定接点５Ａの電気的接離が行われ、この電気的接離に応じて制御手段９が、送信手段８から赤外線のリモコン信号を電子機器へ送信し、例えば、テレビの電源の入／切や音量の増減等が遠隔操作によって行われる。
【００３２】
また、図４の正面図に示すように、遠隔操作する電子機器３０の表示画面３１に、例えば番組表やメニュー等が表示された状態で、上覆体１３上面に指を触れ、指をなぞるように前後左右に移動して接触操作すると、この指に静電タッチパネル１２の電荷の一部が導電し、操作した箇所の導電部の容量が変化するため、これによって静電タッチパネル１２のどの箇所が接触操作されたかを制御手段９が検出する。
【００３３】
そして、この指の移動に応じたリモコン信号を、制御手段９が送信手段８から機器へ送信し、例えば、表示画面３１に表示されたカーソル３２やポインタ３３等が、指の移動した上下方向や左右方向へ移動して、番組表やメニュー等の選択が行われる。
【００３４】
さらに、カーソル３２やポインタ３３等が所望の番組やメニュー上に位置した状態で、図３の断面図に示すように、上覆体１３上面を押圧操作すると、枠体１５、１６のアーム部１５Ａ、１６Ａの上端と下端が、軸部１５Ｂと１６Ｂを支点として各々外方へ回動して広がり、アーム部１５Ａと１６Ａ上端に載置された静電タッチパネル１２や下覆体１４が下方へ移動する。
【００３５】
そして、下覆体１４下面の突出部１４Ａがスイッチ接点６の押釦６Ａを押圧操作して、スイッチ接点６の電気的接離が行われ、これを制御手段９が検出して送信手段８からリモコン信号を機器へ送信し、例えば、番組の予約や次のメニューの表示等が行われる。
【００３６】
つまり、複数の操作体７の押圧操作によって、電源や音量といった機器の各機能の遠隔操作を行うと共に、静電タッチパネル１２の接触操作によって、番組表等の表示画面３１に表示されたメニューの選択を行い、さらに静電タッチパネル１２の押圧操作によって、メニューの確定や次メニューの表示等を、遠隔操作によって行うことができるように構成されている。
【００３７】
また、このような静電タッチパネル１２の押圧操作の際、図３の断面図に示すように、静電タッチパネル１２の中央ではなく端部が押圧操作された場合にも、枠体１５と１６によって、静電タッチパネル１２や下覆体１４が水平な状態で下方へ移動し、下覆体１４下面の突出部１４Ａがスイッチ接点６の押釦６Ａを垂直に押圧操作して、スイッチ接点６の安定した電気的接離が行えるようになっている。
【００３８】
つまり、同じ長さで略中間部が交差し、回動可能に接合された二つの枠体１５と１６のアーム部１５Ａと１６Ａが、押圧操作の際には、軸部１５Ｂと１６Ｂを支点として各々外方へ回動して広がることによって、アーム部１５Ａと１６Ａ上端に載置され、静電タッチパネル１２を収納した上覆体１３と下覆体１４が、傾くことなく水平な状態で上下動するように構成されている。
【００３９】
なお、下覆体１４下面と配線基板５上面の間に、操作体７と同様の絶縁樹脂製または金属製のばね部材を設け、これによって静電タッチパネル１２を収納した上覆体１３と下覆体１４を、常に上方へ付勢するようにすれば、静電タッチパネル１２の上下動がさらに確実なものになると共に、接触操作時の操作も行い易くすることができる。
【００４０】
このように本実施の形態によれば、アーム部１５Ａと１６Ａの略中間部が交差して回動可能に接合された二つの枠体１５と１６を設けると共に、この枠体１５と１６のアーム部１５Ａと１６Ａ上端に静電タッチパネル１２を載置することによって、静電タッチパネル１２を押圧操作した際、二つの枠体１５と１６によって、静電タッチパネル１２が傾くことなく水平な状態で上下動し、スイッチ接点６の安定した電気的接離が行えるため、誤操作がなく、確実な操作が可能なリモコン送信機を得ることができるものである。
【００４１】
なお、以上の説明では、配線基板５上面にプッシュスイッチを実装してスイッチ接点６を形成した構成について説明したが、配線基板５上面に複数の固定接点を設け、この上方に操作体７と同様に下面の可動接点を対向させるように形成した構成や、あるいは、配線基板５上面の固定接点上に、略ドーム状で導電金属薄板製の可動接点を載置したもの等、様々なスイッチ接点を用いた構成においても、本発明の実施は可能である。
【産業上の利用可能性】
【００４２】
本発明によるリモコン送信機は、誤操作がなく、確実な操作が可能なものが得られ、主に各種電子機器の操作用として有用である。
【図面の簡単な説明】
【００４３】
【図１】本発明の一実施の形態によるリモコン送信機の断面図
【図２】同分解斜視図
【図３】同押圧操作時の断面図
【図４】電子機器の正面図
【図５】従来のリモコン送信機の断面図
【図６】同押圧操作時の断面図
【図７】同押圧操作時の断面図
【符号の説明】
【００４４】
５  配線基板
５Ａ  固定接点
６  スイッチ接点
６Ａ  押釦
７  操作体
７Ａ  可動接点
８  送信手段
９  制御手段
１０  カバー
１１  ケース
１２  静電タッチパネル
１２Ａ  テール部
１３  上覆体
１４  下覆体
１４Ａ  突出部
１５、１６  枠体
１５Ａ、１６Ａ  アーム部
１５Ｂ、１６Ｂ  軸部
３０  電子機器
３１  表示画面
３２  カーソル
３３  ポインタ
【図１】
2009200542.tif 000003
【図２】
2009200542.tif 000004
【図３】
2009200542.tif 000005
【図４】
2009200542.tif 000006
【図５】
2009200542.tif 000007
【図６】
2009200542.tif 000008
【図７】
2009200542.tif 000009